(57)【要約】【課題】  複数の記録媒体を有するカメラにおいて、複数の記録媒体の容量を有効に使用して、記録画像データの検索をし易くすることのできるカメラのデータ記録方法を実現する。【解決手段】  被写体を撮像して画像データを得る撮像手段と、前記画像データを記録する複数の記録手段と、を備えたカメラにおいて、前記画像データを前記複数の記録手段に分割して記録可能なことを特徴とするカメラのデータ記録方法。【選択図】  図１
2005136794.tif 000002
【特許請求の範囲】
【請求項１】
被写体を撮像して画像データを得る撮像手段と、前記画像データを記録する複数の記録手段と、を備えたカメラにおいて、前記画像データを前記複数の記録手段に分割して記録可能なことを特徴とするカメラのデータ記録方法。
【請求項２】
前記画像データが動画データであることを特徴とする請求項１記載のカメラのデータ記録方法。
【請求項３】
被写体を撮像して画像データを得る撮像手段と、前記画像データを記録する複数の記録手段と、を備え、前記画像データを前記複数の記録手段に分割して記録可能なカメラにおいて、前記複数の記録手段に分割して記録された画像データは、分割記録終了後に一体化した画像データに変換されることを特徴とするカメラのデータ記録方法。
【請求項４】
前記画像データが動画データであることを特徴とする請求項３記載のカメラのデータ記録方法。
【請求項５】
前期複数の記録手段に分割して記録された画像データを一体化した画像データに変換するタイミングを選択可能とすることを特徴とする請求項３、４記載のカメラのデータ記録方法。
【請求項６】
前記一体化した画像データに変換するタイミングは、カメラの電源OFF時とすることを特徴とする請求項５記載のカメラのデータ記録方法。
【請求項７】
前記一体化した画像データに変換するタイミングは、ストロボ充電時とすることを特徴とする請求項５記載のカメラのデータ記録方法。
【請求項８】
前記一体化した画像データに変換するタイミングは、画像データ再生モード時とすることを特徴とする請求項５記載のカメラのデータ記録方法。
【請求項９】
前記一体化した画像データに変換するタイミングは、画像データを外部の記録手段へ転送する際とすることを特徴とする請求項５記載のカメラのデータ記録方法。
【請求項１０】
前記複数の記録手段に分割して記録された画像データを一体化した画像データに変換するか否かを選択可能としたことを特徴とする請求項３、４記載のカメラのデータ記録方法。
【請求項１１】
前記複数の記録手段に分割して記録された画像データを一体化した画像データに変換する際に、一体化後の画像データサイズが、前記複数の記録手段に記録されている画像データを入れ替えることで、前記複数の記録手段のいずれか一つの空き容量を最大にした時の容量よりも大きくなる場合は、変換を行わないことを特徴とする請求項３〜１０記載のカメラのデータ記録方法。
【請求項１２】
前記複数の記録手段は、いずれか一つ、もしくは全てがカメラ本体に着脱可能に装着された記録媒体であることを特徴とする請求項１〜１１記載のカメラのデータ記録方法。
【請求項１３】
請求項１から１２に記載の方法を実行させるカメラのデータ記録プログラム。
【請求項１４】
被写体を撮像して画像データを得る撮像手段と、前記画像データを記録する複数の記録手段と、を備えたカメラにおいて、前記画像データを前記複数の記録手段に分割して記録可能なことを特徴とするカメラのデータ記録装置。
【発明の詳細な説明】
【技術分野】
【０００１】
本発明は、例えば撮像素子を用いて光学像を電気信号に変換し、静止画や動画の画像データを記録媒体に記録するデジタルカメラ等に適用される画像データの記録技術に関する。
【背景技術】
【０００２】
近年、デジタルカメラの高画素化、高画質化が急速に進んでいる。例えばＣＣＤやＣＯＭＳ等の撮像素子は、僅か数年前には１００万画素程度だったものが１０００万画素を超えるものが登場している。その結果、一画像当たり３００ＫＢ（キロバイト）程度だった画像データサイズは、３０ＭＢ（メガバイト）を超えるものもあるなど、画像データサイズも増大している。
【０００３】
また静止画だけでなく、モーションＪＰＥＧ等の規格に沿って静止画像の記録を高速且つ連続的に行う手法により動画を記録可能なデジタルカメラも出現している。その画像サイズもＳＱＶＧＡ（１６０×１２０画素）で６０ＫＢ／秒程度だったものが、ＶＧＡ（６４０×４８０画素）で１ＭＢ／秒程度のものも登場しており、静止画同様に画像データサイズが増大している。
【０００４】
デジタルカメラ本体には画像データを記録する手段として用いられる記録媒体（メディア）を挿入するためのスロットが設けられている。以前は記録媒体にはＦＤ（フロッピー(登録商標)ディスク）等が用いられていたが、容量が１〜４ＭＢ程度であるため増大化した画像データを1個の記録媒体に記録できないという問題があった。そこで特開２０００−６９４１７号広報において、スロットに記録媒体を入れ替えることで、複数個の記録媒体に画像データを分割して記録する方法が提案されている。
【０００５】
一方、近年デジタルカメラ同様に記録媒体の容量も大容量化が進んでおり、ＣＦ（コンパクトフラッシュ(登録商標)）、ＭＤ（マイクロドライブ）等の記録媒体においては１ＧＢの容量をもつものも登場している。しかし、１ＧＢの記録媒体を使用しても、静止画を最高画質で撮影すると３０コマ程度しか撮影できない。
【０００６】
また動画ならば連続で１６分程度しか撮影できない。より多く撮影するためには複数の記録媒体を持ち、スロットに挿入した記録媒体に記録ができなくなると未記録の記録媒体と交換する必要がある。そこで、記録媒体を交換する煩わしさを解消するために、下記の特許文献１において、カメラ本体に複数の記録媒体を装着可能としたカメラが提案されている。
【０００７】
ここで、複数の記録媒体に画像データを記録するにあたり、記録画像データの分類・検索等を容易にするため、同公報では撮影距離や撮影条件等に応じて、複数の記録媒体の中から記録する記録媒体を選択する方法が開示されている。
【０００８】
また、下記の特許文献２において、画像データサイズが基準値よりも大きい場合は容量の多い記録媒体に記録し、基準値よりも小さい場合は容量の少ない記録媒体に記録する方法や、同様に画像データが非圧縮データや動画の場合には容量の多い記録媒体に記録し、画像データが圧縮データや静止画の場合は容量の少ない記録媒体に記録する方法が提案されている。
【特許文献１】特開平６−８６１２８号公報
【特許文献２】特開２００１−２４５２４８号公報
【発明の開示】
【発明が解決しようとする課題】
【０００９】
しかしながら、前記両公報では、ほぼ同時刻に撮影した画像データでも様々な条件により別の記録媒体に記録されるため、時間軸に沿って検索する場合は逆に検索しづらくなってしまうといった問題がある。
【００１０】
また、記録する記録媒体を様々な条件で決定しているため、ある条件で決定された記録媒体の容量が一杯の場合、それ以外の記録媒体の容量に空きがあっても記録できなくなってしまうといった問題が生じてしまう。
【００１１】
本発明はこのような事情に鑑みてなされたもので、カメラ本体に複数の記録媒体を装着可能としたカメラにおいて、複数の記録媒体の容量を有効に使用して、記録画像データの整理・検索をし易くすることができるカメラの画像データ記録方法を提供することを目的とする。
【課題を解決するための手段】
【００１２】
上記の目的を達成するために、 請求項１の発明は、被写体を撮像して画像データを得る撮像手段と、前記画像データを記録する複数の記録手段と、を備えたカメラにおいて、前記画像データを前記複数の記録手段に分割して記録可能なことを特徴とする。この構成によれば、複数の記録媒体の容量を有効に使用し、記録画像データの整理・検索をし易くすることが可能なカメラのデータ記録方法が実現できる。
【００１３】
請求項２の発明は、前記画像データが動画データであることを特徴とする。この構成によれば、動画撮影時においても請求項１記載のカメラのデータ記録方法が実現できる。
請求項３の発明は、被写体を撮像して画像データを得る撮像手段と、前記画像データを記録する複数の記録手段と、を備え、前記画像データを前記複数の記録手段に分割して記録可能なカメラにおいて、前記複数の記録手段に分割して記録された画像データは、分割記録終了後に一体化した画像データに変換されることを特徴とする。この構成によれば、複数の記録媒体の容量を有効に使用し、記録画像データの整理・検索をし易くすることが可能なカメラのデータ記録方法が実現できる。
【００１４】
請求項４の発明は、前記画像データが動画データであることを特徴とする。この構成によれば、動画撮影時においても請求項３記載のカメラのデータ記録方法が実現できる。
請求項５の発明は、前期複数の記録手段に分割して記録された画像データを一体化した画像データに変換するタイミングを選択可能とすることを特徴とする。この構成によれば、ユーザーが意図したタイミングで分割して記録された画像データを自動的に一体化することが可能な請求項３、４記載のカメラのデータ記録方法が実現できる。
請求項６の発明は、前記一体化した画像データに変換するタイミングは、カメラの電源OFF時とすることを特徴とする。この構成によれば、請求項５記載のカメラのデータ記録方法が実現できる。
【００１５】
請求項７の発明は、前記一体化した画像データに変換するタイミングは、ストロボ充電時とすることを特徴とする。この構成によれば、請求項５記載のカメラのデータ記録方法が実現できる。
請求項８の発明は、前記一体化した画像データに変換するタイミングは、画像データ再生モード時とすることを特徴とする。この構成によれば、請求項５記載のカメラのデータ記録方法が実現できる。
【００１６】
請求項９の発明は、前記一体化した画像データに変換するタイミングは、画像データを外部の記録手段へ転送する際とすることを特徴とする。この構成によれば、請求項５記載のカメラのデータ記録方法が実現できる。
請求項１０の発明は、前記複数の記録手段に分割して記録された画像データを一体化した画像データに変換するか否かを選択可能としたことを特徴とする。この構成によれば、ユーザーが分割して記録された画像データの一体化を自動的に行うか行わないかを選択可能とした請求項３、４記載のカメラのデータ記録方法が実現できる。
【００１７】
請求項１１の発明は、前記複数の記録手段に分割して記録された画像データを一体化した画像データに変換する際に、一体化後の画像データサイズが、前記複数の記録手段に記録されている画像データを入れ替えることで、前記複数の記録手段のいずれか一つの空き容量を最大にした時の容量よりも大きくなる場合は、変換を行わないことを特徴とする。この構成によれば、請求項３〜１０記載のカメラの記録媒体の残り容量不足時におけるデータ記録方法が実現できる。
請求項１２の発明は、前記複数の記録手段は、いずれか一つ、もしくは全てがカメラ本体に着脱可能に装着された記録媒体であることを特徴とする。この構成によれば、請求項１〜１１記載のカメラのデータ記録方法が実現できる。
【００１８】
上記記載の方法を実行させるカメラのデータ記録プログラム。被写体を撮像して画像データを得る撮像手段と、前記画像データを記録する複数の記録手段と、を備えたカメラにおいて、前記画像データを前記複数の記録手段に分割して記録可能なことを特徴とする。
【発明の効果】
【００１９】
以上説明したように、請求項１の発明は、画像データを複数の記録手段に分割して記録可能とすることにより、複数の記録媒体の容量を有効に使用し、記録画像データの整理・検索をし易くすることが可能なカメラのデータ記録方法が実現できる。
【００２０】
請求項２の発明は、前記画像データを動画データとしたことにより、動画撮影時においても請求項１記載のカメラのデータ記録方法が実現できる。
請求項３の発明は、複数の記録手段に分割して記録された画像データは、分割記録終了後に一体化した画像データに変換されることにより、複数の記録媒体の容量を有効に使用し、記録画像データの整理・検索をし易くすることが可能なカメラのデータ記録方法が実現できる。
【００２１】
請求項４の発明は、前記画像データを動画データとしたことにより、動画撮影時においても請求項３記載のカメラのデータ記録方法が実現できる。
請求項５の発明は、前期複数の記録手段に分割して記録された画像データを一体化した画像データに変換するタイミングを選択可能としたことにより、ユーザーが意図したタイミングで分割して記録された画像データを自動的に一体化することが可能な請求項３、４記載のカメラのデータ記録方法が実現できる。
請求項６の発明は、前記一体化した画像データに変換するタイミングを、カメラの電源OFF時としたことにより、請求項５記載のカメラのデータ記録方法が実現できる。
【００２２】
請求項７の発明は、前記一体化した画像データに変換するタイミングを、ストロボ充電時としたことにより、請求項５記載のカメラのデータ記録方法が実現できる。
請求項８の発明は、前記一体化した画像データに変換するタイミングを、画像データ再生モード時としたことにより、請求項５記載のカメラのデータ記録方法が実現できる。
【００２３】
請求項９の発明は、前記一体化した画像データに変換するタイミングを、画像データを外部の記録手段へ転送する際としたことにより、請求項５記載のカメラのデータ記録方法が実現できる。
請求項１０の発明は、分割して記録された画像データを一体化した画像データに変換するか否かを選択可能としたことにより、請求項３、４記載のカメラのデータ記録方法が実現できる。
【００２４】
請求項１１の発明は、一体化後の画像データサイズが、前記複数の記録手段に記録されている画像データを入れ替えることで、前記複数の記録手段のいずれか一つの空き容量を最大にした時の容量よりも大きくなる場合は、変換を行わないこととしたことにより、請求項３〜１０記載のカメラの記録媒体の残り容量不足時におけるデータ記録方法が実現できる。
請求項１２の発明は、前記複数の記録手段は、いずれか一つ、もしくは全てがカメラ本体に着脱可能に装着された記録媒体であることとしたことにより、請求項１〜１１記載のカメラのデータ記録方法が実現できる。
【発明を実施するための最良の形態】
【００２５】
以下に本発明の実施例について説明する。
【００２６】
（実施例１）
以下、本発明の実施例１を図面を参照しながら説明する。図１は実施例１に係るデジタルカメラの構成を示すブロック図である。図１において、１はカメラ部の制御とカメラ全体の制御を行うＣＰＵ、２は画像データの各種制御を行うメモリコントローラ、３は各種制御を行うための設定・調整データ等を格納しているＥＥＰＲＯＭである。
【００２７】
１０はレンズ鏡筒で、ズームレンズ群１１、絞り１２、シャッター１３、フォーカスレンズ（群）１４を有している。２０はズームレンズ１１を駆動するズーム駆動回路、２１は絞り１２を駆動する絞り駆動回路、２２はシャッター１３を駆動するシャッター駆動回路、２３はフォーカスレンズ１４を駆動するフォーカス駆動回路、２４はストロボ装置、２５はカメラを操作するための各種ボタン・ダイヤル等の操作SWである。
【００２８】
３０はレンズ鏡筒１０を通過した光学像を電気信号に変換する撮像素子で４００８画素×２６７２画素＝１０，７０９，３７６画素のものが設けられている。３１は撮像素子３０から出力される画像信号をサンプルホールド及び自動ゲイン調整するＣＤＳ（相関２重サンプリング）／ＡＧＣ（自動ゲイン調整）回路、３２はＣＤＳ／ＡＧＣ回路３１のアナログ出力をデジタル信号に変換するＡ／Ｄ変換器、３３はＴＧ（タイミング発生）回路で、撮像素子３０に駆動信号、ＣＤＳ／ＡＧＣ回路３１にサンプルホールド信号、Ａ／Ｄ変換器３２にサンプルクロック信号を供給する。
【００２９】
３４はＡ／Ｄ変換器３２でデジタル変換された画像データ等を一時的に記録するためのＳＤＲＡＭ、３５は画像データをＹ／Ｃ（輝度信号／色差信号）分離、ホワイトバランス補正、γ補正等を行う画像処理回路、３６は画像データをＪＰＥＧ等の形式に従って圧縮したり、圧縮された画像データの伸張を行う画像圧縮／伸張回路である。
３７は画像データをアナログ信号に変換するＤ／Ａ変換器、３８は画像データを表示するＬＤＣである。４０・４３は記録媒体とのＩ／Ｆ（インターフェイス）（４０は第１Ｉ／Ｆ、４３は第２Ｉ／Ｆと称す）、４１・４４は記録媒体との接続を行うスロット（４１は第１スロット、４４は第２スロットと称す）で、いずれもＣＦ ＴＹＰＥＩ／ＩＩ規格に準拠している。４２・４５は画像データや音声データを記録する記録媒体であり、４２は記録容量１２８ＭＢのＣＦ、４５は記録容量１ＧＢのＭＤが装着されているものとする。
【００３０】
本実施例では記録媒体にはＣＦ、ＭＤを用いているがこれに限定されず、ＳＭ（スマートメディア）、ＭＳ（メモリースティック）、光ディスク、光磁気ディスク等、様々な形態の記録媒体が使用可能であり、その場合は使用する記録媒体に応じたＩ／Ｆ及びスロットが設けられる。また記録容量や記録媒体の組み合わせも上記に限定されず、いかなる組み合わせでも構わない。また本実施例では記録媒体を２系統装着可能としているが、３系統以上装着可能としても構わない。
【００３１】
更に本実施例においてはカメラに着脱可能な記録媒体としているが、複数の記録媒体の内の幾つかがカメラに固定された記録媒体でも構わない。
【００３２】
５０は画像データをＮＴＳＣやＰＡＬ等のビデオ信号に変換するビデオ信号処理回路、５１はテレビ等の機器に接続するためのＡＶ端子、５２は音声入力用のマイク、５３はマイク５２からのアナログ音声信号のノイズ除去・デジタル変換等を行うマイク信号処理回路、５４はデジタル音声信号をオーディオ信号に変換するオーディオ信号処理回路、５５は音声出力用のスピーカーである。
【００３３】
５６はパソコン等と通信するためのＵＳＢ回路及びコネクタである。６０は電源６１の電圧を各回路に必要な電圧に変換するＤＣ／ＤＣコンバータである。
【００３４】
図２を用いてカメラの動作について説明する。図２は静止画撮影時のカメラ動作を示すフローチャートである。
【００３５】
Ｓ１では、分割画像データが得られた際にその分割画像データを自動的に一体化する機能を使用するか否かを選択する。選択はＬＣＤ３８に表示される内容を見ながら操作ＳＷ２５により行う。ここでは機能を使用するとしてＯＮが選択されたものとする。
Ｓ２では、分割画像データが得られた際にその分割画像データを一体化するタイミングを設定する。そのタイミングはカメラの電源をＯＦＦした時、ストロボ充電中、撮影した画像データをカメラのＬＣＤ３８で再生する時等、一定時間、撮影動作を行わないタイミングとする。
【００３６】
Ｓ１同様に設定はＬＣＤ３８に表示される内容を見ながら操作ＳＷ２５により行う。ここではカメラ電源ＯＦＦ時が設定されたものとする。
【００３７】
Ｓ３では、ＣＦ４２の空き容量を元に記録可能容量Ｓ（ＣＦ）を計算する。計算値は画像データをファイル化するためのヘッダや画像情報分を含まず、純粋に画像データ分としている。Ｓ４では、ユーザーが予め設定した画像サイズや圧縮率に応じて静止画を撮影する。ここでは撮像素子３０の生データをそのまま記録するＲＡＷモードが設定されているものとする。
Ｓ５では、撮影した画像データをＳＤＲＡＭ３４に一時記録する。Ｓ６では、ＳＤＲＡＭ３４に一時記録された画像データの容量を確認する。
ここで記録される画像データについて説明する。ＲＡＷモードの場合、１画素につき１バイトのＲ情報、Ｇ情報、Ｂ情報を有している。従って、１画像データあたりの記録容量は撮像素子３０の画素数１０，７０９，３７６×３＝３２，１２８，１２８バイト≒３１３７５Ｋバイト≒３０．６Ｍバイトとなる。画像データは図３に示されるようにＳＤＲＡＭ３４へ記録される。
【００３８】
Ｓ７では、画像データ容量Ｓ（ｉｍｇ）と記録可能容量Ｓ（ＣＦ）を比較する。画像データ容量Ｓ（ｉｍｇ）が記録可能容量Ｓ（ＣＦ）よりも少ないか同じであればＳ８へ進み、記録可能容量Ｓ（ＣＦ）よりも大きければＳ９へ進む。
【００３９】
Ｓ８では、画像データにヘッダ、画像情報を付加してファイル化し、ＣＦ４２へ記録する。画像データは図４に示されるようにＣＦ４２へ記録される。Ｓ９では、画像データをＣＦ４２に記録可能な容量としたＳ（Ｓ１）と残りのＳ（Ｓ２）の２つに分割する。ここでは記録可能容量Ｓ（ＣＦ）が１５．３Ｍバイトとして３０．６Ｍバイトの画像データをちょうど半分に分割している。
【００４０】
Ｓ１０では、分割された画像データＳ（Ｓ１）にヘッダ、画像情報を付加してファイル化し、ＣＦ４２へ記録する。画像データは図５に示されるようにＣＦ４２へ記録される。Ｓ１１では、分割された画像データＳ（Ｓ２）にヘッダ、画像情報を付加してファイル化し、ＭＤ４５へ記録する。画像データは図６に示されるようにＭＤ４５へ記録される。
【００４１】
ここで分割された画像データについて説明する。図５、６において、画像データをファイル化するために付加された画像情報部分のアドレス００００１８０〜００００１８６、００００２００〜００００２０Ｅにそれぞれ本画像（分割前）データの情報を記載し、アドレス００００１Ｃ０〜００００１Ｃ６、００００２８０〜００００２９１にそれぞれ分割画像データの情報を記載してある。ここでは、Ｓ（Ｓ１）は本画像の上側半分、Ｓ（Ｓ２）は本画像の下側半分に分割される。
【００４２】
Ｓ１２では、不図示のＭＡＩＮ ＳＷがＯＦＦ操作されたか否かを検知する。ＯＦＦ操作されなければされるまで繰り返し待ち、ＯＦＦ操作されればＳ１３へ進む。
【００４３】
Ｓ１３では、分割された画像データを一体ファイル化してＭＤ４５へ記録する。画像データの一体化はそれぞれの画像情報に記載されている分割座標や分割数の情報に基づいて行われる。画像データは図４に示されるように一体ファイル化されＭＤ４５へ記録される。Ｓ１４では、カメラ電源をＯＦＦして一連の動作を終了する。
【００４４】
以上の手順により、複数の記録媒体の容量を有効に使用した画像データ記録方法を提供できる。また分割された画像データを自動的に簡単に本来の画像データに戻すことが可能である。上記の説明では、記録媒体が２つ設けられていたため本画像データを2つに分割していたが、記録媒体の数が更に多くても何ら問題はなく、その際は分割数は記録媒体の数以下であればいくらでも構わない。また画像データをＲＡＷモードによるデータで説明したが、ＪＰＥＧやＴＩＦ等の画像データであっても何ら問題はない。
【００４５】
更にはＳ１３において、ＭＤ４５の記録可能容量が一体ファイル化された画像データの容量よりも少ない場合は、一体化ＮＧと表示して一体化しなくても構わない。この時更にＣＦ４２とＭＤ４５に記録されている全画像データを整理して入れ替えることでＣＦ４２もしくはＭＤ４５の一方の記録可能容量が最大になるようにしてから一体化するようにしても構わない。
（第２の実施例）
以下、本発明の第２実施例を図面を参照しながら説明する。デジタルカメラの構成は第１実施例と同一のため説明は割愛する。
まず動画記録方式について説明する。動画記録方式は音声データ1秒分と1秒間に３０フレームのＳＶＧＡサイズ（８００×６００画素）のＪＰＥＧ画像データを交互に記録するモーションＪＰＥＧを採用しているとする。ファイル構造は図７に示すように、モーションＪＰＥＧ規格に準拠する動画用ファイルである周知のＡＶＩファイルとするためのヘッダ部が形成され、続いて1秒分の音声データからなる音声チャンク及び３０フレーム分のＪＰＥＧ画像データからなる画像チャンクが交互に形成され、最後にインデックスチャンクが形成されている。これによりこの動画データは周知のアプリケーション、例えば「Ｑｕｉｃｋ  Ｔｉｍｅ」等で再生可能となっている。
【００４６】
続いて図８を用いてカメラの動作について説明する。図８は動画撮影時のカメラ動作を示すフローチャートである。
Ｓ２１では、分割画像データが得られた際にその分割画像データを一体化するタイミングを設定する。ここではタイミングは外部の記録手段にデータ転送を行う時が設定されたものとする。
【００４７】
Ｓ２２では、ＣＦ４２の空き容量を元に記録可能時間Ｔ（ＣＦ）を計算する。計算値は画像データをファイル化するためのヘッダや画像情報分を含まず、純粋に画像データ分としている。
【００４８】
Ｓ２３では、動画時間カウンタＴＣを０にする。Ｓ２４では、不図示のレリーズボタンがＯＮされる。即ちユーザーが動画撮影を開始する。
【００４９】
Ｓ２５では、フレームカウンタＦＣを０にする。Ｓ２６では、マイク５２から得られる音声データをＳＤＲＡＭ３４に記録開始する。
【００５０】
Ｓ２７では、ＳＶＧＡサイズ（８００×６００画素）の画像を１フレーム分即ち１画面分、撮影する。Ｓ２８では、撮影した画像を画像圧縮／伸張回路３６によりＪＰＥＧ圧縮処理を行い、ＳＤＲＡＭ３４に一時記録する。
【００５１】
Ｓ２９では、１フレーム分の撮影が終了したことを受けてフレームカウンタＦＣを１カウントアップする。Ｓ３０では、フレームカウンタＦＣのカウント値が３０フレームに達したか検知し、達していなければＳ２７へ戻り引き続き１フレーム分の撮影を行う。達していればＳ３１へ進む。
【００５２】
Ｓ３１では、音声データの記録を終了する。Ｓ３２では、１秒分の音声データと画像データをＣＦ４２に記録する。Ｓ３３では、１秒分の記録が終了したことを受けて動画時間カウンタＴＣを１カウントアップする。
【００５３】
Ｓ３４では、記録可能時間Ｔ（ＣＦ）と動画時間カウンタＴＣを比較し、動画時間カウンタＴＣが記録可能時間Ｔ（ＣＦ）に達していなければＳ３５に進み、達していればＳ３７に進む。Ｓ３５では、不図示のレリーズボタンがＯＦＦされたか否かを検知し、されていればＳ３６へ進み、されていなければＳ２５へ戻り引き続き動画記録を行う。
【００５４】
Ｓ３６では、動画データにヘッダ、インデックスチャンクを付加してＡＶＩファイル化して動画記録を終了する。Ｓ３７では、動画データ１にヘッダ、インデックスチャンクを付加してＡＶＩファイル化してＣＦ４２への動画記録を終了する。
【００５５】
Ｓ３８では、ＭＤ４５の空き容量を元に記録可能時間Ｔ（ＭＤ）を計算する。計算値は画像データをファイル化するためのヘッダや画像情報分を含まず、純粋に画像データ分としている。Ｓ３９では、動画時間カウンタＴＣを０にする。
【００５６】
Ｓ４０では、フレームカウンタＦＣを０にする。Ｓ４１では、マイク５２から得られる音声データをＳＤＲＡＭ３４に記録開始する。Ｓ４２では、ＳＶＧＡサイズ（８００×６００画素）の画像を１フレーム分即ち１画面分、撮影する。
【００５７】
Ｓ４３では、撮影した画像を画像圧縮／伸張回路３６によりＪＰＥＧ圧縮処理を行い、ＳＤＲＡＭ３４に一時記録する。Ｓ４４では、１フレーム分の撮影が終了したことを受けてフレームカウンタＦＣを１カウントアップする。
【００５８】
Ｓ４５では、フレームカウンタＦＣのカウント値が３０フレームに達したか検知し、達していなければＳ４３へ戻り引き続き１フレーム分の撮影を行う。達していればＳ４６へ進む。Ｓ４６では、音声データの記録を終了する。
【００５９】
Ｓ４７では、１秒分の音声データと画像データをＭＤ４５に記録する。Ｓ４８では、１秒分の記録が終了したことを受けて動画時間カウンタＴＣを１カウントアップする。Ｓ４９では、記録可能時間Ｔ（ＭＤ）と動画時間カウンタＴＣを比較し、動画時間カウンタＴＣが記録可能時間Ｔ（ＭＤ）に達していなければＳ５０に進み、達していればＳ５１に進む。
【００６０】
Ｓ５０では、不図示のレリーズボタンがＯＦＦされたか否かを検知し、されていればＳ５１へ進み、されていなければＳ４０へ戻り引き続き動画記録を行う。Ｓ５１では、動画データ２にヘッダ、インデックスチャンクを付加してＡＶＩファイル化して動画記録を終了する。
【００６１】
Ｓ５２では、カメラにＵＳＢコネクタ５６にＵＳＢケーブルが接続されたか否かを検知し、されていなければ接続されるのを待ち、されていればＳ５３へ進む。ここではＵＳＢケーブルの先にはパソコンが接続されているものとする。
【００６２】
Ｓ５３では、ユーザーがカメラのＣＦ４２及びＭＤ４５に記録されている画像データをパソコンに転送する許可を与えたか否かを検知し、与えていなければ与えるのを待ち、与えていればＳ５４へ進む。
【００６３】
Ｓ５４では、ＣＦ４２に記録されている動画データ１から動画データを１秒分毎にＳＤＲＡＭ３４に記録する。Ｓ５５では、ＳＤＲＡＭ３４に記録した１秒分の動画データをパソコンに設けられた記録媒体へ転送する。
【００６４】
Ｓ５６では、動画データ１の転送が終了したか否かを検知し、終了していなければＳ５４へ戻り引き続き動画データ１の転送を行い、終了していればＳ５７へ進む。Ｓ５７では、ＭＤ４５に記録されている動画データ２から動画データを１秒分毎にＳＤＲＡＭ３４に記録する。
【００６５】
Ｓ５８では、ＳＤＲＡＭ３４に記録した１秒分の動画データをパソコンに設けられた記録媒体へ転送する。
【００６６】
Ｓ５９では、動画データ１の転送が終了したか否かを検知し、終了していなければＳ５７へ戻り引き続き動画データ２の転送を行い、終了していればＳ６０へ進む。Ｓ６０では、転送した動画データにヘッダ、インデックスチャンクを付加してＡＶＩファイル化する。
以上の手順により、複数の記録媒体の容量を有効に使用した画像データ記録方法を提供できる。また分割された動画データを自動的に簡単に本来の動画データに戻すことが可能である。上記の説明では、記録媒体が２つ設けられていたため本画像データを2つに分割していたが、記録媒体の数が更に多くても何ら問題はなく、その際は分割数は記録媒体の数以下であればいくらでも構わない。また画像データサイズはＳＶＧＡサイズとしたが他のいかなるサイズであっても何ら問題はない。また１秒あたりのフレーム数を３０フレームとしたが何フレームであっても構わないし、ＳＤＲＡＭ３４から記録媒体への記録も１秒毎に限ったものではなく、１フレームごとであっても良い。更には動画記録方式もモーションＪＰＥＧに限ったものではなく、ＭＰＥＧ方式や他の方式であっても良い。
【図面の簡単な説明】
【００６７】
【図１】本発明の実施例に係る、デジタルカメラの構成を示すブロック図である。
【図２】本発明の第１実施例に係る、静止画撮影時のカメラ動作を示すフローチャートである。
【図３】本発明の第１実施例に係る、静止画撮影における画像データのデータ内容である。
【図４】本発明の第１実施例に係る、静止画撮影における画像データのファイル内容である。
【図５】本発明の第１実施例に係る、静止画撮影における分割画像データ１のファイル内容である。
【図６】本発明の第１実施例に係る、静止画撮影における分割画像データ２のファイル内容である。
【図７】本発明の第２実施例に係る、動画撮影における動画データのファイル構造である。
【図８】本発明の第２実施例に係る、動画撮影時のカメラ動作を示すフローチャートである。
【符号の説明】
【００６８】
３０  撮像素子
３４  ＳＤＲＡＭ
３６  画像圧縮／伸張回路
４１・４４  スロット
４２  ＣＦ
４５  ＭＤ
５２  マイク
５６  ＵＳＢ回路及びコネクタ
【図１】
2005136794.tif 000003
【図２】
2005136794.tif 000004
【図３】
2005136794.tif 000005
【図４】
2005136794.tif 000006
【図５】
2005136794.tif 000007
【図６】
2005136794.tif 000008
【図７】
2005136794.tif 000009
【図８】
2005136794.tif 000010